(57)【要約】通信サービスを考慮しつつ、移動局装置の電力消費を抑えた通信システムを提供する。この移動体通信システムは、基地局装置と移動局装置を含み、前記移動局装置が送信する下りリンクＣＱＩを使用して、前記基地局装置が該移動局装置へ制御情報やユーザデータを送信する移動体通信システムであって、前記基地局装置は、前記下りリンクＣＱＩを使用してスケジューリングされる下りリンクＣＱＩの有効期間を下りリンク有効期間とし、該下りリンク有効期間を下りリンクＣＱＩ送信タイミングの一定期間後から開始し、該下りリンク有効期間においてのみ該移動局装置が制御情報やユーザデータを送信できるようにスケジューリングするスケジューリング部を有するものである。
2008050574.tif 000002
【特許請求の範囲】
【請求項１】
移動局装置が送信する下りリンクＣＱＩを使用して、該移動局装置へ制御情報やユーザデータを送信する基地局装置において、移動局装置に、制御情報とユーザデータの受信が可能な下りリンク有効期間を指定し、該下りリンク有効期間においてのみ該移動局装置が制御情報やユーザデータを送信できるようにスケジューリングするスケジューリング部を有し、前記スケジューリングは、該移動局装置が該下りリンク有効期間において測定した下りリンクＣＱＩを使用して行われることを特徴とする基地局装置。
【請求項２】
請求項１に記載の基地局装置において、移動局装置に、制御情報とユーザデータの送信が可能な上りリンク有効期間を指定し、該上りリンク有効期間においてのみ該移動局装置が制御情報やユーザデータを送信できるようにスケジューリングすることを特徴とする基地局装置。
【請求項３】
請求項２に記載の基地局装置において、前記基地局装置は、前記上りリンク有効期間と、前記下りリンク有効期間とを関連付け、該上りリンク有効期間と該下りリンク有効期間を１ユニットとして移動局装置に指定することを特徴とする基地局装置。
【請求項４】
請求項３に記載の基地局装置において、前記下りリンク有効期間と前記上りリンク有効期間は、サービスの内容と送信データ量とに応じて決定することを特徴とする基地局装置。
【請求項５】
基地局装置からの制御情報とユーザデータの受信が可能な下りリンク有効期間を指定される移動局装置において、
前記下りリンク有効期間内に下りリンクＣＱＩを測定することを特徴とする移動局装置。
【請求項６】
請求項５に記載の移動局装置において、上りリンク有効期間を指定され、
前記上りリンク有効期間内に下りリンクＣＱＩを送信することを特徴とする移動局装置。
【請求項７】
請求項６に記載の移動局装置において、基地局装置から指定された前記上りリンク有効期間と前記下りリンク有効期間を関連付けられたユニット単位での下りリンクＣＱＩを送信することを特徴とする移動局装置。
【請求項８】
請求項５に記載の移動局装置において、無線伝搬路品質が悪化した場合、他セルの品質測定を前記下りリンク有効期間以外の期間で行うことを特徴とする移動局装置。
【請求項９】
基地局装置と移動局装置を含み、前記移動局装置が送信する下りリンクＣＱＩを使用して、前記基地局装置が該移動局装置へ制御情報やユーザデータを送信する移動体通信システムにおいて、前記基地局装置は、前記下りリンクＣＱＩを使用してスケジューリングされる下りリンクＣＱＩの有効期間を下りリンク有効期間とし、該下りリンク有効期間を下りリンクＣＱＩ送信タイミングの一定期間後から開始し、該下りリンク有効期間においてのみ該移動局装置が制御情報やユーザデータを送信できるようにスケジューリングするスケジューリング部を有することを特徴とする移動体通信システム。
【請求項１０】
請求項９に記載の移動体通信システムにおいて、前記基地局装置のスケジューリング部は、前記下りリンクＣＱＩを送信してから一定期間を上りリンク有効期間とし、該上りリンク有効期間においてのみ該移動局装置が制御情報やユーザデータを送信できるようにスケジューリングすることを特徴とする移動体通信システム。
【請求項１１】
請求項１０に記載の移動体通信システムにおいて、前記基地局装置のスケジューリング部は、前記下りリンクＣＱＩ送信タイミングと、前記上りリンク有効期間と、前記下りリンク有効期間とが関連付けられ、該上りリンク有効期間と該下りリンク有効期間を１ユニットとし、該ユニット単位でスケジューリングすることを特徴とする移動体通信システム。
【請求項１２】
請求項９乃至１１に記載の移動体通信システムにおいて、前記基地局装置のスケジューリング部は、スケジューリングのパラメータとして、前記移動局装置が下りリンクＣＱＩを前記基地局装置に送信する間隔（以下、ＤＣＦＣという）と、前記移動局装置が上りリンクで制御情報やユーザデータを送信可能な間隔（以下、ＵＡＰという）と、下りリンクで前記移動局装置が前記基地局装置からの制御情報やユーザデータを受信可能な間隔（以下、ＤＡＰという）と、ＵＡＰの開始から次のＵＡＰの開始までの間隔（以下、ＵＳＣという）と、ＤＡＰの開始から次のＤＡＰの開始までの間隔（以下、ＤＳＣという）とを、サービスの内容と送信データ量とに応じて保持することを特徴とする移動体通信システム。
【請求項１３】
請求項１２に記載の移動体通信システムにおいて、前記パラメータは、サービス内容と送信データ量とに応じて、データ送信の優先度を保持することを特徴とする移動体通信システム。
【請求項１４】
請求項１２または１３に記載の移動体通信システムにおいて、前記基地局装置のスケジューリング部は、同じ前記パラメータを持つ前記移動局装置が複数ある場合、該移動局装置をグループ分けして、各グループを交互に有効期間間隔になるように配置し、各グループ内の他の移動局装置を１転送時間間隔となるように配置して、スケジューリングすることを特徴とする移動体通信システム。
【請求項１５】
請求項１２乃至１４のいずれかに記載の移動体通信システムにおいて、前記移動局装置は、無線伝搬路品質が悪化した場合、同一周波数の他セルの品質測定を（ＤＳＣ−ＤＡＰ）の期間で行うことを特徴とする移動体通信システム。
【請求項１６】
請求項１２乃至１４のいずれかに記載の移動体通信システムにおいて、前記移動局装置は、無線伝搬路品質が悪化した場合、異周波数の他セルの品質測定を（ＤＳＣ−ＤＡＰ−ＵＡＰ）の期間で行うことを特徴とする移動体通信システム。
【請求項１７】
請求項１２乃至１６のいずれかに記載の移動体通信システムにおいて、前記基地局装置は、前記移動局装置との初期接続手順の中で前記パラメータを該移動局装置に通知することを特徴とする移動体通信システム。
【請求項１８】
請求項１２乃至１６のいずれかに記載の移動体通信システムにおいて、前記移動局装置は、前記パラメータを決定するための情報を前記基地局装置に通知することを特徴とする移動体通信システム。
【請求項１９】
請求項１２乃至１６のいずれかに記載の移動体通信システムにおいて、前記移動局装置は、前記パラメータを決定して前記基地局装置に通知することを特徴とする移動体通信システム。
【請求項２０】
移動局装置が送信する下りリンクＣＱＩを使用して、基地局装置が該移動局装置へ制御情報やユーザデータを送信する移動体通信方法において、前記基地局装置では、前記下りリンクＣＱＩを使用してスケジューリングされる下りリンクＣＱＩの有効期間を下りリンク有効期間とし、該下りリンク有効期間を下りリンクＣＱＩ送信タイミングの一定期間後から開始し、該下りリンク有効期間においてのみ該移動局装置が制御情報やユーザデータを送信できるようにスケジューリングすることを特徴とする移動体通信方法。
【発明の詳細な説明】
【技術分野】
【０００１】
本発明は、移動体通信システム、移動体通信方法、基地局装置および移動局装置に関し、特に、移動体通信システムにおけるＥＵＴＲＡ技術として、適応無線リンク制御に基づく適応変復調・誤り訂正方式を有するパケットデータ通信方式に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡ（High Speed Downlink Packet Access）も標準化され、サービスが開始されようとしている。【０００３】
一方、３ＧＰＰでは、第三世代無線アクセスの進化（Evolved Universal Terrestrial Radio Access，以下、ＥＵＴＲＡと称する）が検討されている。
ＥＵＴＲＡの下りリンクとして、ＯＦＤＭ（Orthogonal Frequency Division Multiplexing）方式が提案されている。
ＥＵＴＲＡ技術として、ＯＦＤＭ方式にチャネル符号化等の適応無線リンク制御（リンクアダプテーション，Link Adaptation）に基づく適応変復調・誤り訂正方式（ＡＭＣＳ：Adaptive Modulation and Coding Scheme、以下、ＡＭＣＳ方式と称する）といった技術が適用されている。【０００４】
ＡＭＣＳ方式とは、高速パケットデータ伝送を効率的に行うために、各移動局の伝搬路状況に応じて、誤り訂正方式、誤り訂正の符号化率、データ変調多値数、時間・周波数軸の符号拡散率（ＳＦ：Spreading Factor）、マルチコード多重数など無線伝送パラメータ（以下、ＡＭＣモードと称する）を切り替える方式である。【０００５】
例えば、データ変調については、伝搬路状況が良好になるに従って、ＱＰＳＫ（Quadrature Phase Shift Keying）変調から、８ＰＳＫ変調、１６ＱＡＭ（Quadrature Amplitude Modulation）変調など、より高い効率の多値変調に切り替えることで、通信システムの最大スループットを増大させることができる。【０００６】
また、ＥＵＴＲＡの上りリンクとして、マルチキャリア通信方式やシングルキャリア通信方式など様々な提案がされており、ＯＦＤＭ方式等のマルチキャリア通信方式よりＰＡＰＲ（Peak to Average Power Ratio：ピーク電力対平均電力の比）の特性に優れたシングルキャリア通信方式が提案されている。【０００７】
ＥＵＴＲＡについて、３ＧＰＰの提案をベースに想定されている上り・下りリンクのチャネル構成を図１８に示す。
ＥＵＴＲＡの下りリンクでは、下りリンクパイロットチャネルＤＰｉＣＨ（Downlink Pilot Channel）、下りリンク同期チャネルＤＳＣＨ（Downlink Synchronization Channel）、下りリンク共通制御チャネルＤＣＣＣＨ（Downlink Common Control Channel）、下りリンク共用制御シグナリングチャネルＤＳＣＳＣＨ（Downlink Shared Control Signaling Channel）、下りリンク共用データチャネルＤＳＤＣＨ（Downlink Shared Data Channel）により構成されている（非特許文献１）。【０００８】
ＥＵＴＲＡの上りリンクでは、上りリンクパイロットチャネルＵＰｉＣＨ（Uplink Pilot Channel）、コンテンションベースチャネルＣＢＣＨ（Contention-based Channel）、上りリンクスケジューリングチャネルＵＳＣＨ（Uplink Scheduling Channel）により構成されている（非特許文献２）。【０００９】
ＥＵＴＲＡの下りリンクにおいて、下りリンクパイロットチャネルＤＰｉＣＨは、下りリンク共通パイロットチャネルＤＣＰｉＣＨ（Downlink Common Pilot Channel）と下りリンク個別パイロットチャネルＤＤＰｉＣＨ（Downlink Dedicated Pilot Channel）が含まれている。【００１０】
下りリンク共通パイロットチャネルＤＣＰｉＣＨは、Ｗ−ＣＤＭＡ方式の共通パイロットチャネルＣＰｉＣＨ（Common Pilot Channel）に相当し、ＡＭＣＳ方式における下りリンク無線伝搬路特性の推定、及びセルサーチ、上り送信電力制御の伝搬路ロス測定に使用されている。【００１１】
下りリンク個別パイロットチャネルＤＤＰｉＣＨは、アダブティブアレーアンテナなどセル共用アンテナと異なる無線伝搬路特性を有するアンテナから、個別移動局装置に送信されるか、または、必要に応じて受信品質の低い移動局装置に対して、下りリンク共通パイロットチャネルＤＣＰｉＣＨの補強の目的で使用することもできる。【００１２】
下りリンク同期チャネルＤＳＣＨは、Ｗ−ＣＤＭＡ方式の同期チャネルＳＣＨ（Synchronization Channel）に相当し、移動局装置のセルサーチ、ＯＦＤＭ信号の無線フレーム、タイムスロット、ＴＴＩ（Transmission Time Interval）、ＯＦＤＭシンボルタイミング同期に使用されている。【００１３】
下りリンク共通制御チャネルＤＣＣＣＨは、Ｗ−ＣＤＭＡ方式の第一共通制御物理チャネルＰ−ＣＣＰＣＨ（Primary Common Control Physical Channel）、第二共通制御物理チャネルＳ−ＣＣＰＣＨ（Secondary Common Control Physical Channel）、及びページングインディケータチャネルＰＩＣＨ（Paging Indicator Channel）に相当する報知情報、ページングインジケータＰＩ（Paging Indicator）情報、ページング情報、下りアクセス情報などの共通制御情報が含まれている。【００１４】
下りリンク共用制御シグナリングチャネルＤＳＣＳＣＨは、ＨＳＤＰＡ方式の高速物理下りリンク共用チャネルＨＳ−ＰＤＳＣＨ（High Speed Physical Downlink Shared Channel）の制御情報チャネルに相当し、複数の移動局装置が共用し、各移動局装置に高速下りリンク共用チャネルＨＳ−ＤＳＣＨ（High Speed Downlink Shared Channel）の復調に必要な情報（変調方式、拡散符号など）、誤り訂正復号処理やＨＡＲＱ（Hybrid Automatic Repeat reQuest）処理に必要な情報、及び無線リソース（周波数、時間）のスケジューリング情報などの送信に使用されている。【００１５】
下りリンク共用データチャネルＤＳＤＣＨは、ＨＳＤＰＡ方式の高速物理下り共用チャネルＨＳ−ＰＤＳＣＨのパケットデータチャネルに相当し、上位レイヤから移動局装置宛てのパケットデータの送信に使用されている。
上りリンクにおいて、コンテンションベースチャネルＣＢＣＨは、Ｗ−ＣＤＭＡ方式のランダムアクセスチャネルＲＡＣＨ（Random Access Channel）に相当する。【００１６】
上りリンクスケジューリングチャネルＵＳＣＨは、共用制御チャネルＳＣＣＨ（Shared Control Channel）と共用データチャネルＳＤＣＨ（Shared Data Channel）からなり、Ｗ−ＣＤＭＡ方式の上り個別物理データチャネルＵＤＰＤＣＨ（Uplink Dedicated Physical Data Channel）とＨＳＤＰＡ方式のＨＳ−ＤＳＣＨ関連上り個別物理制御チャネルＨＳ−ＵＤＰＣＣＨ（Uplink Dedicated Physical Control Channel for ＨＳ−ＤＳＣＨ）に相当し、各移動局装置が共用で、移動局装置のパケットデータ送信、下りチャネル伝搬路品質情報ＣＱＩ（Channel Quality Indicator）、ＨＡＲＱなどのフィードバック情報、上りパイロット、上りリンクチャネル制御情報などの伝送に使用する。
上りリンクパイロットチャネルＵＰｉＣＨは、ＡＭＣＳ方式における上りリンク無線伝搬路特性の推定に使用されている。【００１７】
ＥＵＴＲＡについて、３ＧＰＰの提案をベースに想定されている下りリンク無線フレームの構成を図１９に示す。
下りリンク無線フレームは、周波数軸の複数サブキャリアのかたまりであるＣｈｕｎｋと時間軸のタイムスロットＴＴＩによる２次元で構成されている。Ｃｈｕｎｋは、幾つかのサブキャリアのかたまりにより構成され、例えば、周波数軸では、下りリンクの全体のスペクトル（下りリンク周波数帯域幅）ＢＷを２０ＭＨｚ、Ｃｈｕｎｋの周波数帯域幅Ｂｃｈを１.２５ＭＨｚとする場合、１６個Ｃｈｕｎｋが含まれている。【００１８】
また、時間軸では、１つの無線フレームを１０ｍｓ、ＴＴＩを０.５ｍｓとする場合、２０個のＴＴＩが含まれる。１つ無線フレームに１６個Ｃｈｕｎｋ、２０個のＴＴＩ、１つのＴＴＩに複数のＯＦＤＭシンボル長（Ｔｓ）が含まれている。【００１９】
従って、この例では、移動局装置が使用可能の最小の無線リソース単位としては、１つのＣｈｕｎｋと１つのＴＴＩ（０.５ｍｓ）により構成されている。
また、１つのＣｈｕｎｋの無線リソースをさらに細かく分割することができる。【００２０】
図１９に示したように、下りリンク共通パイロットチャネルＤＣＰｉＣＨは、各ＴＴＩの先頭にマッピングする。下りリンク個別パイロットチャネルＤＤＰｉＣＨは、基地局のアンテナ使用状況、または移動局装置の伝搬路状況に応じて、必要な場合に１つのＴＴＩの適当な位置にマッピングする（例えば、ＴＴＩの中心部にマッピングする）。【００２１】
下りリンク共通制御チャネルＤＣＣＣＨと下りリンク同期チャネルＤＳＣＨは、無線フレームの先頭のＴＴＩにマッピングされている。無線フレーム先頭のＴＴＩにマッピングすることにより、移動局装置はアイドルモードの場合、無線フレーム先頭ＴＴＩだけ、あるいは無線フレーム先頭ＴＴＩ内の数ＯＦＤＭシンボル長（Ｔｓ）を受信すれば、セルサーチ、タイミング同期、報知情報及びページング情報など共通制御情報を受信することが可能である。移動局装置はアイドルモードの場合、間欠受信ＩＲ（Intermittent Reception）で動作することができる。【００２２】
下りリンク共用制御シグナリングチャネルＤＳＣＳＣＨは、下りリンク共通パイロットチャネルＣＰｉＣＨと同様に各ＴＴＩの先頭にマッピングしている。移動局装置がパケット通信中でも各ＴＴＩに自局装置宛てのパケットデータがない場合、下りリンク共用制御シグナリングチャネルＤＳＣＳＣＨだけを受信する間欠受信が可能である。【００２３】
下りリンク共用データチャネルＤＳＤＣＨは、Ｃｈｕｎｋ単位で分割し、ＡＭＣＳ方式をベースに、各移動局装置宛てのパケットデータを送信する。各Ｃｈｕｎｋは、各移動局装置の伝搬路状況に応じて、ユーザ（一例として、図１９に示したように、移動局装置ＭＳ１、ＭＳ２、ＭＳ３）に割当てられている。【００２４】
図１９に示したように、ＴＴＩ＿１，ＴＴＩ＿２のタイムスロットで、１つのＣｈｕｎｋ単位で、１つのユーザに割り当て、無線伝搬路特性の良いユーザに対しては１Ｃｈｕｎｋ以上のＣｈｕｎｋを割り当て、マルチユーザダイバーシチ効果を利用してシステム全体のスループットを向上するユーザスケジューリング方法、また、図１９に示したように、ＴＴＩ＿３，ＴＴＩ＿ｎ−１，ＴＴＩ＿ｎのタイムスロットで、複数のＣｈｕｎｋ単位とｓｕｂ−ＴＴＩ単位に複数のユーザに割り当て、セル境界や高速移動等で無線伝搬路特性の悪いユーザには、複数のＣｈｕｎｋを渡って広い周波数帯域幅を持たせることにより、周波数ダイバーシチ効果を利用して受信特性を改善するユーザスケジューリング方法が提案されている。【００２５】
ＥＵＴＲＡについて、３ＧＰＰの提案をベースに想定されている上りリンク無線フレームの構成を図２０に示す。
上りリンク無線フレームは、周波数軸の複数サブキャリアのかたまりであるＣｈｕｎｋと時間軸のタイムスロットＴＴＩによる２次元で構成されている。Ｃｈｕｎｋは幾つかのサブキャリアのかたまりにより構成され、例えば、周波数軸では、上りリンクの全体のスペクトル（上りリンク周波数帯域幅）ＢＷを２０ＭＨｚ、Ｃｈｕｎｋの周波数帯域幅Ｂｃｈを１.２５ＭＨｚとする場合、上りリンクの周波数軸は、１６個Ｃｈｕｎｋで構成される。【００２６】
また、時間軸では、１つの無線フレームを１０ｍｓ、ＴＴＩを０.５ｍｓとする場合、２０個のＴＴＩが含まれる。１つ無線フレームに１６個Ｃｈｕｎｋ，２０個のＴＴＩ、１つのＴＴＩに複数のシンボル長が含まれている。
従って、この例では、移動局装置が使用可能の最小の無線リソース単位としては、１つのＣｈｕｎｋ（１.２５ＭＨｚ）との１つのＴＴＩ（０.５ｍｓ）により構成されている。【００２７】
また、１つのＣｈｕｎｋの無線リソースをさらに細かく分割することができる。
図２０に示したように、上りリンクパイロットチャネルＵＰｉＣＨは、上りリンクスケジューリングチャネルＵＳＣＨの各ＴＴＩの先頭と末尾にマッピングされる。
基地局装置は、各移動局装置からの上りリンクパイロットチャネルＵＰｉＣＨから無線伝搬路の推定や移動局装置と基地局装置間の同期検出を行う。
各移動局装置は、くしの歯状スペクトル（Distributed ＦＤＭＡ）や局所化スペクトル（Localized ＦＤＭＡ）またはＣＤＭＡを利用して、同時に上りリンクパイロットチャネルＵＰｉＣＨを送信できる。【００２８】
コンテンションベースチャネルＣＢＣＨは、Ｃｈｕｎｋ単位で分割され、基地局装置からスケジューリングされていない、ユーザデータまたは制御データがある場合、コンテンションベースチャネルＣＢＣＨに送信できる。
上りリンクスケジューリングチャネルＵＳＣＨは、Ｃｈｕｎｋ単位で分割し、ＡＭＣＳ方式をベースに、基地局装置からスケジューリングされた各移動局装置が、基地局装置にパケットデータを送信する。【００２９】
各Ｃｈｕｎｋは、各移動局装置の無線伝搬路状況に応じて、ユーザ（一例として、図２０に示したように、移動局装置ＭＳ１，ＭＳ２，ＭＳ３、ＭＳ４、ＭＳ５）に割当てられている。
ＥＵＴＲＡの要求項目では移動局装置の消費電力についても考慮するように求められている（非特許文献３）。
また、非特許文献４では、制御情報やユーザデータを送受信する期間と制御情報やユーザデータを送受信しない期間を制御することにより電力消費を抑える提案がされている。
【非特許文献１】R1-050707  “Physical Channel and Multiplexing in Evolved UTRA Downlink”,3GPP TSG RAN WG1 Metting#42 London,UK,August 29-September 2,2005
【非特許文献２】R1-050850 “Physical Channel and Multiplexing in Evolved UTRA Uplink”,3GPP TSG RAN WG1 Metting#42 London,UK,August 29-September 2,2005
【非特許文献３】3GPP TR(Technical Report)25.913,V2.1.0(2005-05),Requirements for evolved Universal Terrestrial Radio Access (UTRA) and Universal Terrestrial Radio Access Network(UTRAN)
【非特許文献４】R2-061061 “DRX and DTX Operation in LTE_Active”,3GPP TSG RAN WG2 Metting#52 Athena,Greece,March 27-31,2006
【発明の開示】
【発明が解決しようとする課題】
【００３０】
しかしながら、非特許文献４では、制御情報やユーザデータを送受信する期間と制御情報やユーザデータを送受信しない期間を制御することにより電力消費を抑える提案がされているが具体的な提案はされていない。【００３１】
本発明は、上述の実情を考慮してなされたものであり、ＥＵＴＲＡ技術として、適応無線リンク制御に基づく適応変復調・誤り訂正方式を有するパケットデータ通信方式において、通信サービスを考慮しつつ、移動局装置の電力消費を抑えた移動体通信システム、移動体通信方法、基地局装置および移動局装置を提供することを目的とする。
【課題を解決するための手段】
【００３２】
上記課題を解決するために、本発明の基地局装置と移動局装置を次のような構成とする。
基地局装置は、移動局装置が送信する下りリンクＣＱＩを使用して、該移動局装置へ制御情報やユーザデータを送信する基地局装置であって、移動局装置に、制御情報とユーザデータの受信が可能な下りリンク有効期間を指定し、該下りリンク有効期間においてのみ該移動局装置が制御情報やユーザデータを送信できるようにスケジューリングするスケジューリング部を有し、前記スケジューリングは、該移動局装置が該下りリンク有効期間において測定した下りリンクＣＱＩを使用して行うものである。
さらに、前記基地局装置は、移動局装置に、制御情報とユーザデータの送信が可能な上りリンク有効期間を指定し、該上りリンク有効期間においてのみ該移動局装置が制御情報やユーザデータを送信できるようにスケジューリングする。
ここで、移動局装置に指定する際、前記上りリンク有効期間と、前記下りリンク有効期間とを関連付け、該上りリンク有効期間と該下りリンク有効期間を１ユニットとして指定するようにし、前記上りリンク有効期間と前記下りリンク有効期間とは、サービス内容と送信データ量とに応じて決定するものである。
次に、移動局装置は、基地局装置からの制御情報やユーザデータの受信が可能な下りリンク有効期間を指定される移動局装置であって、前記下りリンク有効期間内に下りリンクＣＱＩを測定するものである。
この移動局装置では、上りリンク有効期間を指定され、前記上りリンク有効期間内に下りリンクＣＱＩを送信する。ここで、下りリンクＣＱＩを送信する単位は、基地局装置から指定された前記上りリンク有効期間と前記下りリンク有効期間を関連付けられたユニット単位である。
さらに、移動局装置では、無線伝搬路品質が悪化した場合、他セルの品質測定を前記下りリンク有効期間以外で行うようにしている。
次に、本発明の移動体通信システムを次のような構成とする。【００３３】
本移動体通信システムは、基地局装置と移動局装置を含み、前記移動局装置が送信する下りリンクＣＱＩを使用して、前記基地局装置が該移動局装置へ制御情報やユーザデータを送信する移動体通信システムであって、
前記基地局装置は、前記下りリンクＣＱＩを使用してスケジューリングされる下りリンクＣＱＩの有効期間を下りリンク有効期間とし、該下りリンク有効期間を下りリンクＣＱＩ送信タイミングの一定期間後から開始し、該下りリンク有効期間においてのみ該移動局装置が制御情報やユーザデータを送信できるようにスケジューリングするスケジューリング部を有している。【００３４】
前記基地局装置のスケジューリング部は、前記下りリンクＣＱＩを送信してから一定期間を上りリンク有効期間とし、該上りリンク有効期間においてのみ該移動局装置が制御情報やユーザデータを送信できるようにスケジューリングし、さらに、前記下りリンクＣＱＩ送信タイミングと、前記上りリンク有効期間と、前記下りリンク有効期間とが関連付けられ、該上りリンク有効期間と該下りリンク有効期間を１ユニットとし、該ユニット単位でスケジューリングするものであってもよい。【００３５】
また、前記基地局装置のスケジューリング部は、スケジューリングのパラメータとして、前記移動局装置が下りリンクＣＱＩを前記基地局装置に送信する間隔（以下、ＤＣＦＣという）と、前記移動局装置が上りリンクで制御情報やユーザデータを送信可能な間隔（以下、ＵＡＰという）と、下りリンクで前記移動局装置が前記基地局装置からの制御情報やユーザデータを受信可能な間隔（以下、ＤＡＰという）と、ＵＡＰの開始から次のＵＡＰの開始までの間隔（以下、ＵＳＣという）と、ＤＡＰの開始から次のＤＡＰの開始までの間隔（以下、ＤＳＣという）とを、サービスの内容と送信データ量とに応じて保持している。さらに、前記パラメータは、サービス内容と送信データ量とに応じて、データ送信の優先度を保持するものとしてもよい。【００３６】
ここで、前記基地局装置のスケジューリング部は、同じ前記パラメータを持つ前記移動局装置が複数ある場合、該移動局装置をグループ分けして、各グループを交互に有効期間間隔になるように配置し、各グループ内の他の移動局装置を１転送時間間隔となるように配置して、スケジューリングする。
この前記パラメータは、前記移動局装置との初期接続手順の中に、前記基地局装置から前記移動局装置に通知するが、これを決定するための情報は前記移動局装置から前記基地局装置に通知される。あるいは、前記移動局装置が決定して前記基地局装置に通知するようにする。【００３７】
また、前記移動局装置は、ＣＱＩが悪化した場合、同一周波数の他セルの品質測定を（ＤＳＣ−ＤＡＰ）の期間で行い、あるいは、異周波数の他セルの品質測定を（ＤＳＣ−ＤＡＰ−ＵＡＰ）の期間で行う。これにより、前記移動局装置は、他セルのＣＱＩを測定する期間を新たに設定することなく、通常のスケジューリング内で測定することができる。
【発明の効果】
【００３８】
本発明によれば、上りリンクと下りリンクにそれぞれで、サービスに応じて送受信可能区間と送受信停止区間を設定することで移動局装置では消費電力を低減することができ、基地局装置では、サービスを考慮した効率的なスケジューリングを行える移動体通信システムおよび移動体通信方法を提供することができる。
【図面の簡単な説明】
【００３９】
【図１】本発明の移動局装置の構成を示すブロック図である。
【図２】本発明の基地局装置の構成を示すブロック図である。
【図３】本発明の基本動作を説明する図である。
【図４】動作例１を示す図である。
【図５】動作例２を示す図である。
【図６】動作例３を示す図である。
【図７】動作例４を示す図である。
【図８】動作例５を示す図である。
【図９】動作例６を示す図である。
【図１０】動作例７を示す図である。
【図１１】動作例８を示す図である。
【図１２】動作例９を示す図である。
【図１３】無線品質を改善するためのパラメータの例である。
【図１４】動作例１０を示す図である。
【図１５】動作例１１を示す図である。
【図１６】動作例１１のサービスによりＡｃｔｉｖｅ  Ｐｅｒｉｏｄを変更した例である。
【図１７】動作例１２を示す図である。
【図１８】ＥＵＴＲＡについて、３ＧＰＰの提案をベースに想定されている上り・下りリンクのチャネル構成である。
【図１９】ＥＵＴＲＡについて、３ＧＰＰの提案をベースに想定されている下りリンク無線フレームの構成である。
【図２０】ＥＵＴＲＡについて、３ＧＰＰの提案をベースに想定されている上りリンク無線フレームの構成である。
【符号の説明】
【００４０】
１００，１００１，１００２，１００ｎ…移動局装置、１１０…送信部、１１１…データ制御部、１１２…データ変調部、１１３…ＤＦＴ−Ｓ−ＯＦＤＭ変調部、１２０…ＤＴＸ・ＤＲＸ制御部、１３０…無線制御部、１４０…スケジューリング部、１５０…受信部、１５１…チャネル推定部、１５２…ＯＦＤＭ復調部、１５３…データ復調部、１５４…制御データ抽出部、１６０…無線部、２００…基地局装置、２１０…データ制御部、２２０…データ変調部、２３０…ＯＦＤＭ変調部、２４０…スケジューリング部、２４１…ＤＬスケジューリング部、２４２…ＵＬスケジューリング部、２５０…チャネル推定部、２６０…ＤＦＴ−Ｓ−ＯＦＤＭ復調部、２７０…データ復調部、２８０…制御データ抽出部、２９０…無線部。
【発明を実施するための最良の形態】
【００４１】
以下、図面を参照して本発明の基地局装置と移動局装置、およびそれらの移動体通信システムの好適な実施形態について説明する。【００４２】
以下、この明細書で用いる用語について定義しておく。
ＤＣＦＣ（Downlink CQI Feedback Cycle）は、移動局装置がＤＰｉＣＨを測定し、下りリンクＣＱＩを算出して、下りリンクＣＱＩを基地局装置に送信する間隔を示す。
ＵＡＰ（Uplink Active Period）は、移動局装置が上りリンクで制御情報やユーザデータを送信可能な間隔（または、基地局装置が移動局装置に対して上りリンクのスケジューリングを行うことのできる間隔）を示す。ＵＡＰの始めに下りリンクＣＱＩを送信する。
ＤＡＰ（Downlink Active Period）は、下りリンクで移動局装置が基地局装置からの制御情報やユーザデータを受信可能な間隔（または、基地局装置が下りリンクで移動局装置宛の制御情報やユーザデータをスケジューリングし、移動局装置に送信可能な間隔）を示す。
ＵＳＣ（Uplink Scheduling Cycle）は、ＵＡＰの開始から次のＵＡＰの開始までの間隔を示す。
ＤＳＣ（Downlink Scheduling Cycle）は、ＤＡＰの開始から次のＤＡＰの開始までの間隔を示す。【００４３】
図１は、移動局装置１００の構成を示すブロック図であり、図２は基地局装置２００の構成を示すブロック図である。
図１において、移動局装置１００は、送信部１１０と、ＤＴＸ・ＤＲＸ制御部１２０と、無線制御部１３０と、スケジューリング部１４０と、受信部１５０と、無線部１６０とから構成される。
また、送信部１１０は、データ制御部１１１、データ変調部１１２、ＤＦＴ−Ｓ−ＯＦＤＭ変調部１１３からなり、受信部１５０は、チャネル推定部１５１と、ＯＦＤＭ（ＤＦＴ−ｓｐｒｅａｄ  ＯＦＤＭ）復調部１５２と、データ復調部１５３と、制御データ抽出部１５４とから構成される。【００４４】
データ制御部１１１は、送信データまたは制御データを入力し、スケジューリング部１４０からの指示により制御データ、ＣＱＩ情報と送信データをコンテンションベースチャネルＣＢＣＨ、又は、上りリンクスケジューリングチャネルＵＳＣＨで送られるように配置する。
データ変調部１１２は、スケジューリング部１４０から渡されたＡＭＣ情報の変調方式の符号化方式を用いて制御データ及び送信データを変調する。【００４５】
ＤＦＴ−Ｓ−ＯＦＤＭ変調部１１３は、データ変調された送信データまたは制御データを入力し、入力信号の直列／並列変換、拡散符号及びスクランブリングコードを乗算し、ＤＦＴ変換、サブキャリアマッピング処理、ＩＦＦＴ（Inverse Fast Fourier Transform）変換、ＣＰ（Cyclic Prefix）挿入、フィルタリングなどのＤＦＴ−ｓｐｒｅａｄ  ＯＦＤＭ信号処理を行い、ＤＦＴ−ｓｐｒｅａｄ  ＯＦＤＭ信号を生成する。
上りリンクの通信方式は、ＤＦＴ−ｓｐｒｅａｄ  ＯＦＤＭやＶＳＣＲＦ−ＣＤＭＡのようなシングルキャリア方式を想定しているが、ＯＦＤＭ方式のようなマルチキャリア方式でもかまわない。【００４６】
無線部１６０は、無線制御部１３０から指示された無線周波数に設定し、変調されたデータを無線周波数にアップコンバートして、基地局装置２００に送信する。
また、無線部１６０は、基地局装置２００からの下りリンクのデータを受信し、ベースバンド信号にダウンコンバートして、受信データをＯＦＤＭ復調部１５２に渡す。【００４７】
チャネル推定部１５１は、下りリンクパイロットチャネルＤＰｉＣＨから無線伝搬路特性を推定し、ＯＦＤＭ復調部１５２に推定結果を渡す。また、基地局装置２００に無線伝搬路推定結果を通知するためにＣＱＩ情報に変換し、データ制御部１１１、スケジューリング部１４０にＣＱＩ情報を渡す。【００４８】
ＯＦＤＭ復調部１５２は、ＣＰ除去、フィルタリング、ＦＦＴ変換などのＯＦＤＭ信号処理を行い、チャネル推定部１５１の下りリンク無線伝搬路推定結果からＯＦＤＭ信号を復調する。
データ復調部１５３は、制御データ抽出部１５４から抽出した下りリンクのＡＭＣ情報から受信データを復調する。
制御データ抽出部１５４では、受信データをユーザデータと制御データ（下りリンク共用制御シグナリングチャネルＤＳＣＳＣＨ、下りリンク共通制御チャネルＤＣＣＣＨ）に分離する。制御データの中で下りのＡＭＣ情報は、データ復調部１５３に送られ、上りリンクのＡＭＣ情報とスケジューリング情報は、スケジューリング部１４０に渡される。【００４９】
スケジューリング部１４０は、基地局装置２００が行った上りリンクのＡＭＣ情報とスケジューリング情報に対して、実際に移動局装置１００が送信データや制御データを物理チャネルにマッピングを行うために、データ制御部１１１とデータ変調部１１２およびＤＦＴ−Ｓ−ＯＦＤＭ変調部１１３に送信データおよび制御データを送信するための指示を行う。【００５０】
ＤＴＸ・ＤＲＸ制御部１２０は、上位層からのＤＣＦＣ、ＵＳＣ、ＤＳＣ、ＵＡＰ、ＤＡＰのパラメータから送信停止期間および受信停止期間を算出して、送信停止期間または受信停止期間に送信部１１０、または、受信部１５０を停止させる。また、上位層から他セルの測定の指示がある場合、期間に他セル測定のために、周波数切り替え指示を行う。【００５１】
図２において、基地局装置２００は、データ制御部２１０と、データ変調部２２０と、ＯＦＤＭ変調部２３０と、スケジューリング部２４０と、チャネル推定部２５０と、ＤＦＴ−Ｓ−ＯＦＤＭ復調部２６０と、データ復調部２７０と、制御データ抽出部２８０と、無線部２９０とから構成される。
また、スケジューリング部２４０は、下りリンクのスケジューリングを行うＤＬスケジューリング部２４１と上りリンクのスケジューリングを行うＵＬスケジューリング部２４２から構成される。【００５２】
データ制御部２１０は、各移動局装置１００ｎへの送信データと制御データを入力し、スケジューリング部２４０からの指示により制御データを共通制御チャネルＣＣＣＨ、同期チャネルＳＣＨ、パイロットチャネルＰｉＣＨ、共用制御チャネルＳＣＣＨにマッピングし、各移動局装置１００ｎに対する送信データを共用データチャネルＳＤＣＨにマッピングする。【００５３】
データ変調部２２０は、スケジューリング部２４０から渡されたＡＭＣ情報のデータ変調方式、符号化方式を用いてデータ変調される。
ＯＦＤＭ変調部２３０は、入力信号の直列／並列変換、ＩＦＦＴ変換、ＣＰ挿入、フィルタリングなどＯＦＤＭ信号処理を行い、ＯＦＤＭ信号を生成する。【００５４】
無線部２９０は、ＯＦＤＭ変調されたデータを無線周波数にアップコンバートして、移動局装置に送信する。また、無線部２９０は、移動局装置１００ｎからの上りリンクのデータを受信し、ベースバンド信号にダウンコンバートして、受信データをＤＦＴ−Ｓ−ＯＦＤＭ復調部２６０とチャネル推定部２５０に渡す。【００５５】
チャネル推定部２５０は、上りリンクパイロットチャネルＵＰｉＣＨから無線伝搬路特性を推定し、ＤＦＴ−Ｓ−ＯＦＤＭ復調部２６０に推定結果を渡す。また、上りリンクのスケジューリングを行うために無線伝搬路推定結果をスケジューリング部２４０に渡す。【００５６】
ＤＦＴ−Ｓ−ＯＦＤＭ復調部２６０は、フィルタリング、ＣＰ除去、ＤＦＴ処理、ＩＦＦＴ処理を行い、チャネル推定部２５０の無線伝搬路推定結果からＤＦＴ−Ｓ−ＯＦＤＭ復調する。
データ復調部２７０では、制御データ抽出部２８０から抽出した下りリンクのＡＭＣ情報から受信データを復調する。
制御データ抽出部２８０では、受信データをユーザデータ（上りリンク共用データチャネルＵＳＤＣＨ）と制御データ（上りリンク共用制御シグナリングチャネルＵＳＣＳＣＨ）に分離し、上位層に渡す。制御データの中で上りリンクのＡＭＣ情報はデータ復調部２７０に送られ、下りリンクのＣＱＩ情報はスケジューリング部２４０に渡される。【００５７】
スケジューリング部２４０のＤＬスケジューリング部２４１は、移動局装置１００ｎから通知されるＣＱＩ情報や上位層からの通知される各ユーザのデータ情報から下りリンクの各チャネルにユーザデータをマッピングするためのスケジューリングや各データを変調するためのＡＭＣを算出する。
また、ＵＬスケジューリング部２４２は、チャネル推定部２５０からの上りリンクの無線伝搬路推定結果と移動局装置１００ｎからのリソース割り当て要求から上りリンクの各チャネルにユーザデータをマッピングするためのスケジューリングや各データを変調するためのＡＭＣを算出する。【００５８】
次に、図３を用いて本発明の基本動作について説明する。
移動局装置１００は、ＵＡＰ期間内に下りリンクＣＱＩを送信し、ＤＣＦＣ間隔で繰り返し、ＤＡＰ期間に下りリンクパイロットを受信して、下りリンクＣＱＩを測定する。
また、自局装置宛のユーザデータ、または、制御情報（ここでは、上りリンクスケジューリング情報または、ユーザデータの応答情報を示す。）を受信する。【００５９】
ＵＡＰ期間には、上りリンクパイロットを送信し、送信すべきユーザデータ、または、制御情報（ここでは、上りリンクスケジューリングリクエスト情報、または、ユーザデータの応答情報（ＡＣＫ／ＮＡＣＫ））がある場合は、これを送信する。【００６０】
基地局装置２００は、移動局装置１００のＵＡＰ期間に移動局装置１００が送信した上りリンクパイロットから上りリンクＣＱＩを算出し、上りリンクで移動局装置１００が送信できるようにスケジューリングを行う。【００６１】
また、移動局装置１００からのユーザデータ及び制御情報を受信する。更に移動局装置１００のＤＡＰ期間には移動局装置宛のデータ及び制御情報のスケジューリングを行い、移動局装置１００に送信する。尚、基地局装置２００は、常時、下りリンクパイロットを送信している。【００６２】
ＵＡＰ、ＤＡＰの間隔は、基地局装置２００と移動局装置１００間の無線区間の遅延、および、基地局装置２００と移動局装置１００内での処理時間、ＣＱＩの無線区間における有効性、データ受信の成功／失敗の応答のサイクルに応じて決められる。
ＵＳＣ、ＤＳＣの間隔は、通信中サービスのトラフィック量の変動特性に応じて動的に制御される。【００６３】
ＤＡＰ、ＵＡＰ期間は、ＣＱＩの有効期間に相当し、ＵＳＣ、ＤＳＣの最小間隔は、データ受信の成功／応答のサイクルに相当する。データ受信の成功／失敗の応答のサイクルは、データ送信後から伝播路の遅延、受信機での復号処理を経て、実際に返信可能になるまでの時間によって見積もられる必要がある。【００６４】
また、下りリンクＣＱＩの測定、下りリンクＣＱＩ情報の送信後から伝播路の遅延、受信機での復号処理を経て、実際のスケジューリング可能になるまでの時間も考慮される必要がある。ここでは、送信機からのデータ送信から、受信機がそのデータに応じた処理を行って返信するまでの時間を５ＴＴＩとして構成している。また、ＤＡＰ，ＵＡＰ，ＵＳＣ，ＤＳＣをそれぞれの倍数で制御することによってシステムを簡単化することが可能である。【００６５】
［動作例１］
図４は、下りリンクにおける具体的な動作例１を示している。
ＤＣＦＣ＝１０ＴＴＩ間隔、ＵＳＣ＝１０ＴＴＩ間隔、ＤＳＣ＝１０ＴＴＩ間隔、ＵＡＰ＝５ＴＴＩ間隔、ＤＡＰ＝５ＴＴＩ間隔の場合、以下のような動作になる。ここでは、簡単に説明するために、下りリンクにのみユーザデータがある場合を説明する。【００６６】
移動局装置１００は、下りリンクＣＱＩを１０ＴＴＩ間隔で送信する。
下りリンクの受信は、５ＴＴＩ分の受信処理を行い、５ＴＴＩ分受信を停止し、繰り返す。上りリンクの送信処理は、５ＴＴＩ分行い、５ＴＴＩ分は送信処理を停止する。
基地局装置２００は、上りリンクのスケジューリングを１０ＴＴＩ間隔で行い、５ＴＴＩ分を対象としてスケジューリングする。また、下りリンクのスケジューリングを１０ＴＴＩ間隔で行い、５ＴＴＩ分を対象としてスケジューリングする。【００６７】
以下、スケジューリングされた上りリンクパイロットの順番をＵＡＰ（ａ１），ＵＡＰ（ａ２），ＵＡＰ（ａ３），ＵＡＰ（ａ４），・・・と表記し、スケジューリングされた下りリンクパイロットの順番をＤＡＰ（ｂ１），ＤＡＰ（ｂ２），ＤＡＰ（ｂ３），ＤＡＰ（ｂ４），・・・と表記する。
また、ＴＴＩ＝ｔ時点での上りリンクパイロットや下りリンクパイロットを、ＵＡＰ（ａ１：ｔ）やＤＡＰ（ｂ１：ｔ）のように表記することにする。【００６８】
移動局装置１００は、下りリンクパイロットから下りリンクＣＱＩを作成し、上りリンクのＵＡＰ（ａ１）で上りリンクパイロットを送信し、ＵＡＰ（ａ１：１）では下りリンクＣＱＩも基地局装置２００に送信する。
基地局装置２００は、下りリンクＣＱＩを受信すると、下りリンクＣＱＩから下りリンクのＤＡＰ（ｂ１）に移動局装置１００宛のデータをスケジューリングする。【００６９】
また、基地局装置２００は、移動局装置１００がデータの応答（データ受信の成功／失敗）を返すためのスケジューリングをＵＡＰ（ａ２）に行い、移動局装置１００宛のユーザデータとユーザデータの応答を返すための上りリンクスケジューリング情報を送信する。ここでは、ＤＡＰ（ｂ１：６）にデータと制御情報を送信している。【００７０】
尚、移動局装置１００宛のユーザデータのスケジューリングとユーザデータの応答を返すための上りリンクスケジューリング情報のスケジューリングは、ＤＡＰ（ｂ１）の間であれば異なっていてもよい。
応答を返すためのスケジューリング位置は、基地局装置２００からの制御信号で指定されてもよいし、ＤＡＰ期間でのデータ送信回数から移動局装置１００側、基地局装置２００側で暗示的に判断してもよい。【００７１】
即ち、ユーザデータを受信して、距離５ＴＴＩ後にユーザデータに対する応答を返信可能とすると、ＤＡＰ（ｂ１：６）に対応する位置は、ＵＡＰ（ａ２：１１）であり、ＤＡＰ（ｂ２：１７）に対応する位置は、ＵＡＰ（ａ３：２２）と一意に決まる。
さらに、ＤＡＰ（ｂ２：１７、ｂ２：１８）のユーザデータに対する応答を、ＵＡＰ（ａ３：２３）にまとめて送信するように予め基地局装置２００および移動局装置１００間で定めて、制御信号なしで同期的に配置し、その送信位置が暗示的に判断されるようにシステムを構成してもよい。
または、制御信号によって基地局装置２００からユーザデータに対する応答を送信する場所は指定されるが、それに含めるべき応答は、それまでに受信したユーザデータに対する応答をまとめて送信するように構成してもよい。【００７２】
移動局装置１００は、ＤＡＰ（ｂ１）に受信処理を行い、自局装置宛のデータ及び制御情報があった場合、抽出して処理を行う。ここでは、ＤＡＰ（ｂ１：６）にデータと制御情報があるので処理を行う。ＵＡＰ（ａ２：１１）で下りリンクＣＱＩを基地局装置２００に送信し、同時に、ＤＡＰ（ｂ１：６）で受信したユーザデータに対する応答を返す。
ＵＡＰ（ａ２、ａ３、ａ４）、ＤＡＰ（ｂ２、ｂ３、ｂ４）についても同様に、移動局装置１００と基地局装置２００とで送受信処理する。ＵＡＰ、ＤＡＰ以外の期間は、移動局装置１００の送信処理または受信処理を停止する。【００７３】
この様にして、移動局装置１００の送受信において送受信停止区間を設け、バッテリの消費を軽減する。【００７４】
［動作例２］
図５は、下りリンクにおいてユーザデータ量が多い動作例２を示している。
ＤＣＦＣ＝１０ＴＴＩ間隔、ＵＳＣ＝１０ＴＴＩ間隔、ＤＳＣ＝５ＴＴＩ間隔、ＵＡＰ＝５ＴＴＩ間隔、ＤＡＰ＝５ＴＴＩ間隔の場合、以下のような動作になる。【００７５】
移動局装置１００は、下りリンクＣＱＩを１０ＴＴＩ間隔で送信し、上りリンクの送信は、５ＴＴＩ分の送信処理を行い、５ＴＴＩ分送信処理を停止し、繰り返す。下りリンクの受信は、常時行う。
基地局装置２００は、上りリンクのスケジューリングを１０ＴＴＩ間隔で行い、５ＴＴＩ分を対象としてスケジューリングする。また、下りリンクのスケジューリングを５ＴＴＩ間隔で行い、５ＴＴＩ分を対象としてスケジューリングする。【００７６】
移動局装置１００は、下りリンクパイロットから下りリンクＣＱＩを作成し、上りリンクのＵＡＰ（ａ１）に上りリンクパイロットを送信し、ＵＡＰ（ａ１：１）では下りリンクＣＱＩも基地局装置２００に送信する。【００７７】
基地局装置２００は、下りリンクＣＱＩを受信すると、下りリンクのＤＡＰ（ｂ１）に移動局装置宛のデータをスケジューリングする。
また、基地局装置２００は、移動局装置１００がデータの応答（データ受信の成功／失敗）を返すためのスケジューリングをＵＡＰ（ａ２）に行う。そして、移動局装置１００宛のユーザデータとユーザデータの応答を返すための上りリンクスケジューリング情報を送信する。ここでは、ＤＡＰ（ｂ１：６、ｂ１：７）にユーザデータと制御情報を送信している。【００７８】
尚、移動局装置１００宛のユーザデータのスケジューリングとユーザデータの応答を返すための上りリンクスケジューリング情報のスケジューリングは、ＤＡＰ（ｂ１）の間であれば異なっていてもよい。
また、ＤＡＰ（ｂ１：６）及びＤＡＰ（ｂ１：７）で送信するデータの応答を返すための上りリンクスケジューリング情報は、同じ場所（例えば（ｂ１：６）のみ）で送信してもよい。【００７９】
移動局装置１００は、ＤＡＰ（ｂ１）に受信処理を行い、自局装置宛のデータ及び制御情報があった場合、抽出して処理を行う。ここでは、ＤＡＰ（ｂ１：６、ｂ１：７）にデータと制御情報があるので処理を行う。
移動局装置１００は、ＵＡＰ（ａ２：１１）で下りリンクＣＱＩを基地局装置２００に送信し、同時に、ＤＡＰ（ｂ１：６）で受信したユーザデータに対する応答を返し、ＵＡＰ（ａ２：１２）にＤＡＰ（ｂ１：７）で受信したユーザデータに対する応答を返す。【００８０】
尚、図４で説明したように、ＤＡＰでの基地局装置２００からのユーザデータが複数ある場合において、移動局装置１００が、ユーザデータの応答を返すためのスケジューリングを同じ場所（例えば、（ａ２：１２）のみ）にしてもよい。応答を返すためのスケジューリング位置は、基地局装置２００からの制御信号で指定されてもよいし、ＤＡＰ期間でのデータ送信回数から移動局装置１００側、基地局装置２００側で暗示的に判断してもよい。【００８１】
ユーザデータに対する応答のスケジューリングは、ＵＳＣとＤＳＣが異なる場合、複雑である。なぜならば、ＤＡＰ（ｂ２：１２）およびＤＡＰ（ｂ３：１７）で受信したユーザデータに対する応答をＵＡＰ（ａ３）にスケジュールする必要があるからである。
図５では、２つのＤＡＰ期間にユーザデータがスケジュールされるＴＴＩの最大数は、ＵＡＰ内のＴＴＩ数５を超えないように示している。【００８２】
この場合、ＤＡＰ（ｂ４：２２、ｂ４：２３、ｂ５：２６）のユーザデータに対する応答を、ユーザデータの受信順にＵＡＰ（ａ４：３１、ａ４：３２、ａ４：３３）に暗示的にスケジュールすることが可能である。
しかしながら、ＤＡＰ期間にユーザデータがスケジュールされるＴＴＩの最大数が、ＵＡＰ内のＴＴＩ数を超える場合は、複数の応答情報をＵＡＰ内の１ＴＴＩ内に含めて送信する必要がある。
しかし、この場合も、最後に受信したユーザデータの位置とそれに対する応答位置を暗示的に関連付け、それ以前に受信したユーザデータに対する応答を含めて送信することによって、制御信号なしにシステムを構成することが可能である。【００８３】
例えば、ＤＡＰ（ｂ２：１２、ｂ３：１７）のユーザデータに対する応答を、ＤＡＰ（ｂ３：１７）から距離５の位置に相当するＵＡＰ（ａ３：２２）にまとめて送信する。ＤＡＰ（ｂ４：２２、ｂ４：２３、ｂ５：２６）のユーザデータに対する応答を、ＵＡＰ（ａ４：３１）にまとめて送信する。よりシンプルな方法としては、直前のＤＡＰで送信されたユーザデータに対する応答は、ＵＡＰの最後のＴＴＩでまとめて送信するように予め定めておく。【００８４】
即ち、ＤＡＰ（ｂ２：１２、ｂ３：１７）のユーザデータに対する応答は、ＵＡＰ（ａ３：２５）で送信される。
または、制御信号によって基地局装置からユーザデータに対する応答を送信する場所は指定されるが、それに含めるべき応答は、それまでに受信したユーザデータに対する応答をまとめて送信するように構成しても良い。
例えば、ＤＡＰ（ｂ２：１２、ｂ３：１７）のユーザデータに対する応答のスケジュール情報がＤＡＰ（ｂ３：１７）に含まれ、そのスケジュール情報にはＵＡＰ（ａ３：２２）にまとめて送信するように指定されている。【００８５】
ＵＡＰ（ａ２、ａ３、ａ４）、ＤＡＰ（ｂ２、ｂ３、ｂ４）についても同様に、移動局装置１００、基地局装置２００が送受信処理する。ＵＡＰ、ＤＡＰ以外の期間は、移動局装置１００の送信処理または受信処理を停止する。
さらに、効率的に下りリンクを送信するために、ＤＣＦＣ＝５ＴＴＩ間隔、ＵＳＣ＝５ＴＴＩ間隔、ＤＳＣ＝５ＴＴＩ間隔、ＵＡＰ＝１ＴＴＩ間隔、ＤＡＰ＝５ＴＴＩ間隔とする。つまり、不必要なＵＡＰ期間を狭くすることにより、他のユーザに残りの４ＴＴＩを割り当てることが可能になるし、さらなる移動局装置１００の消費電力低減も可能である。【００８６】
［動作例３］
図６は、上りリンクにおいてデータ量が多い動作例３を示している。
ＤＣＦＣ＝１０ＴＴＩ間隔、ＵＳＣ＝５ＴＴＩ間隔、ＤＳＣ＝１０ＴＴＩ間隔、ＵＡＰ＝５ＴＴＩ間隔、ＤＡＰ＝５ＴＴＩ間隔の場合、以下のような動作になる。【００８７】
移動局装置１００は、下りリンクＣＱＩを１０ＴＴＩ間隔で送信し、下りリンクの受信は、５ＴＴＩ分の受信処理を行い、５ＴＴＩ分受信を停止し、繰り返す。上りリンクの送信処理は、常時行う。
基地局装置２００は、上りリンクのスケジューリングを５ＴＴＩ間隔で行い、５ＴＴＩ分を対象としてスケジューリングする。また、下りリンクのスケジューリングを１０ＴＴＩ間隔で行い、５ＴＴＩ分を対象としてスケジューリングする。【００８８】
移動局装置１００は、下りリンクパイロットから下りリンクＣＱＩを作成し、上りリンクのＵＡＰ（ａ１）に上りリンクパイロットを送信し、ＵＡＰ（ａ１：１）では下りリンクＣＱＩと上りリンクスケジューリング送信要求情報も基地局装置２００に送信する。【００８９】
基地局装置２００は、下りリンクＣＱＩと上りリンクスケジューリング送信要求情報を受信すると、下りリンクのＤＡＰ（ｂ１）に移動局装置１００宛のデータをスケジューリングし、基地局装置２００は移動局装置１００がデータの応答（データ受信の成功／失敗）を返すためのスケジューリングをＵＡＰ（ａ３，ａ４）に行う。【００９０】
また、上りリンクパイロットから上りリンクＣＱＩを算出し、算出した上りリンクＣＱＩと上りリンクスケジューリング送信要求情報からＵＡＰ（ａ３，ａ４）に上りリンクのユーザデータのスケジューリングを行う。そして、移動局装置１００宛のユーザデータとユーザデータの応答を返すための上りリンクスケジューリング情報と上りリンクのユーザデータのスケジューリング情報を送信する。【００９１】
ここでは、ＤＡＰ（ｂ１：６）にユーザデータとデータの応答のスケジューリング情報を送信し、（ｂ１：７）に上りリンクユーザデータのスケジューリング情報を送信している。
尚、移動局装置１００宛のユーザデータのスケジューリングとユーザデータの応答を返すための上りリンクスケジューリング情報のスケジューリングは、ＤＡＰ（ｂ１）の間であれば異なっていてもよい。【００９２】
また、上りリンクスケジューリング送信要求情報は、予めサービスの種類やトラフィックボリュームによってスケジューリング情報帯域が定められている場合は送信する必要がない。その際には、例えば、この上りリンクスケジューリング送信要求情報を、上りリンクユーザデータのバッファ状況などにより現状のスケジューリング情報帯域を変更するために使用してもよい。【００９３】
移動局装置１００は、ＤＡＰ（ｂ１）に受信処理を行い、自局装置宛のデータ及び制御情報があった場合、抽出して処理を行う。ここでは、ＤＡＰ（ｂ１：６）にデータと制御情報があるので処理を行う。ＵＡＰ（ａ２：１）で下りリンクＣＱＩを基地局装置２００に送信し、同時に、ＤＡＰ（ｂ１：６）で受信したユーザデータに対する応答を返す。
ＵＡＰ（ａ２，ａ３，ａ４）、ＤＡＰ（ｂ２，ｂ３，ｂ４）についても同様に、移動局装置１００と基地局装置２００とで送受信処理する。ＵＡＰ、ＤＡＰ以外の期間は、移動局装置の送信処理または受信処理を停止する。【００９４】
ＤＡＰに隣接するＵＡＰの上りリンクパイロットからＣＱＩを測定するため、ＵＡＰ（ａ２，ａ４，ａ６など）のＣＱＩ測定用の上りリンクパイロットは、送信しないようにも構成できる。ただし、ＵＡＰ（ａ４：１７、ａ４：１８など）で送信されるユーザデータを復調するためのパイロットは、送信する必要がある。【００９５】
上りリンクユーザデータに対する応答を返すためのスケジューリング位置は、基地局装置が自由にスケジューリングしてもよいし、図５で示した下りリンクユーザデータに対する応答と同様に、ＵＡＰ期間でのデータ送信回数から移動局装置１００側と基地局装置２００側で暗示的に判断してもよい。【００９６】
さらに、効率的に下りリンクを送信するために、ＤＣＦＣ＝５ＴＴＩ間隔、ＵＳＣ＝５ＴＴＩ間隔、ＤＳＣ＝５ＴＴＩ間隔、ＵＡＰ＝５ＴＴＩ間隔、ＤＡＰ＝１ＴＴＩ間隔とする。
つまり、不必要なＤＡＰ期間を狭くすることにより、他のユーザに残りの４ＴＴＩを割り当てることが可能になるし、さらなる移動局装置１００の消費電力低減も可能である。【００９７】
このようにして、上りリンクまたは下りリンクのどちらかのみでデータ量が多い場合においても送受信停止区間を作ることができ消費電力の低減が行える。【００９８】
上りリンク、下りリンク共にデータ量が多いときには、ＤＣＦＣ＝５ＴＴＩ間隔、ＵＳＣ＝５ＴＴＩ間隔、ＤＳＣ＝５ＴＴＩ間隔、ＵＡＰ＝５ＴＴＩ間隔、ＤＡＰ＝５ＴＴＩ間隔とする。【００９９】
［動作例４］
図７は、下りリンクおよび上りリンクデータ量が少ない動作例４を示している。
ＤＣＦＣ＝２０ＴＴＩ間隔、ＵＳＣ＝２０ＴＴＩ間隔、ＤＳＣ＝２０ＴＴＩ間隔、ＵＡＰ＝５ＴＴＩ間隔、ＤＡＰ＝５ＴＴＩ間隔の場合、以下のような動作になる。【０１００】
移動局装置１００は、下りリンクＣＱＩを２０ＴＴＩ間隔で送信し、下りリンクの受信は、５ＴＴＩ分の受信処理を行い、１５ＴＴＩ分受信を停止し、繰り返す。上りリンクの送信は、５ＴＴＩ分の送信処理を行い、１５ＴＴＩ分送信を停止し、繰り返す。
基地局装置２００は、上りリンクのスケジューリングを２０ＴＴＩ間隔で行い、５ＴＴＩ分を対象としてスケジューリングする。また、下りリンクのスケジューリングも２０ＴＴＩ間隔で行い、５ＴＴＩ分を対象としてスケジューリングする。【０１０１】
移動局装置は、下りリンクパイロットから下りリンクＣＱＩを作成し、上りリンクのＵＡＰ（ａ１）に上りリンクパイロットを５ＴＴＩ分連続して送信し、ＵＡＰ（ａ１：１）では下りリンクＣＱＩを基地局装置に送信する。下りリンクＣＱＩは、２０ＴＴＩ間隔で送信する。
基地局装置２００は、下りリンクＣＱＩを受信すると、下りリンクのＤＡＰ（ｂ１）に移動局装置１００宛のデータをスケジューリングし、基地局装置は移動局装置がデータの応答（データ受信の成功／失敗）を返すためのスケジューリングをＵＡＰ（ａ２）に行う。
また、上りリンクパイロットから上りリンクＣＱＩを算出し、算出した上りリンクＣＱＩと上りリンクスケジューリング送信要求情報からＵＡＰ（ａ２）に上りリンクのユーザデータのスケジューリングを行う。【０１０２】
そして、移動局装置１００宛のユーザデータとユーザデータの応答を返すための上りリンクスケジューリング情報と上りリンクのユーザデータのスケジューリング情報を送信する。ここでは、ＤＡＰ（ｂ１：６）にユーザデータとデータの応答のスケジューリング情報を送信している。
尚、移動局装置１００宛のユーザデータのスケジューリングとユーザデータの応答を返すための上りリンクスケジューリング情報のスケジューリングはＤＡＰ（ｂ１）の間であれば異なっていてもよい。【０１０３】
移動局装置１００は、ＤＡＰ（ｂ１）に受信処理を行い、自局装置宛のデータ及び制御情報があった場合、抽出して処理を行う。ここでは、ＤＡＰ（ｂ１：６）にデータと制御情報があるので処理を行う。
ＵＡＰ（ａ２：１）で下りリンクＣＱＩを基地局装置２００に送信し、同時に、ＤＡＰ（ｂ１：６）で受信したユーザデータに対する応答を返す。
ＵＡＰ（ａ２、ａ３、ａ４）、ＤＡＰ（ｂ２、ｂ３、ｂ４）についても同様に、移動局装置１００と基地局装置２００とで送受信処理する。ＵＡＰ、ＤＡＰ以外の期間は、移動局装置１００の送信処理または受信処理を停止する。
これにより、消費電力を抑えた間欠受信が可能となる。【０１０４】
［動作例５］
図８は、下りリンクおよび上りリンクのデータ量が少ない動作例５を示している。
図７では、上りリンクスケジューリング情報が送信されてから、上りリンクデータの送信までに長期間の空白があり、無線伝搬路が変動してしまうため、上りリンクに対して適した周波数スケジューリングが行えないという問題がある。同様の問題が下りリンクでも発生する。これは、ＤＣＦＣ、ＵＳＣ、ＤＳＣの期間が長いときに問題になり、図５や図６の高速なデータ通信の際には、ＤＡＰ，ＵＡＰをＣＱＩ測定やＣＱＩ測定用パイロット送信と共用可能なため起こらない。【０１０５】
そこで、下りリンクＣＱＩ測定期間、下りリンクＣＱＩ情報送信期間、上りリンクパイロット送信、上りリンクスケジューリング要求送信期間を制御用パラメータ、下りリンクデータ送信期間、上りリンクデータ送信期間をデータ用パラメータとし、２つのパラメータで動作させる。【０１０６】
制御用パラメータをＤＣＦＣ１＝８０ＴＴＩ間隔、ＵＳＣ１＝８０ＴＴＩ間隔、ＤＳＣ１＝８０ＴＴＩ間隔、ＵＡＰ１＝５ＴＴＩ間隔、ＤＡＰ１＝５ＴＴＩ間隔とし、データ用パラメータをＤＣＦＣ２＝８０ＴＴＩ間隔、ＵＳＣ２＝８０ＴＴＩ間隔、ＤＳＣ２＝８０ＴＴＩ間隔、ＵＡＰ２＝５ＴＴＩ間隔、ＤＡＰ２＝５ＴＴＩ間隔とした場合である。図８では、図７と同じで、上りリンクＵＡＰ、下りリンクＤＡＰの順に１セットとしている。
この場合、以下のような動作になる。【０１０７】
移動局装置１００は、下りリンクパイロットから下りリンクＣＱＩを作成し、上りリンクのＵＡＰ（ａ１）に上りリンクパイロットを５ＴＴＩ分連続して送信し、ＵＡＰ１（ａ１：１）では下りリンクＣＱＩと前回受信したデータの応答（データ受信の成功／失敗）、上りリンクスケジューリング送信要求情報を基地局装置２００に送信する。【０１０８】
基地局装置２００は、上りリンクパイロットから上りリンクＣＱＩを算出し、算出した上りリンクＣＱＩと上りリンクスケジューリング送信要求情報からＵＡＰ２（ｃ１）に上りリンクのユーザデータのスケジューリングを行う。
また、下りリンクＣＱＩから下りリンクのＤＡＰ１（ｂ１）に上りリンクスケジューリング情報を送信するためのスケジューリングを行い、移動局装置１００宛に上りリンクスケジューリング情報を送信する。
ここでは、ＤＡＰ１（ｂ１：２）に上りリンクスケジューリング情報を送信している。尚、上りリンクスケジューリング情報を送信するためのスケジューリングは、ＵＡＰ１（ａ１：１）で送信された下りリンクＣＱＩを必ずしも用いる必要はない。【０１０９】
移動局装置１００は、ＤＡＰ１（ｂ１）に受信処理を行い、自局装置宛のデータ及び制御情報があった場合、抽出して処理を行う。ここでは、ＤＡＰ１（ｂ１：２）に制御情報があるので処理を行う。
移動局装置１００は、下りリンクパイロットから下りリンクＣＱＩを作成し、上りリンクのＵＡＰ２（ｃ１）に上りリンクパイロットを５ＴＴＩ分連続して送信し、ＵＡＰ２（ｃ１：１）では下りリンクＣＱＩを基地局装置に送信する。ＵＡＰ２（ｃ１：３）では上りリンクスケジューリング情報からユーザデータを送信する。【０１１０】
基地局装置２００は、下りリンクＣＱＩを受信すると、下りリンクのＤＡＰ２（ｄ１）に移動局装置１００宛のデータをスケジューリングする。また、上りリンクのユーザデータの応答を返すためのスケジューリングを行う。
基地局装置２００は、下りリンクのＤＡＰ２（ｄ１：１）で上りリンクのユーザデータの応答を送信し、下りリンクのＤＡＰ２（ｄ１：２）、（ｄ１：２）で下りリンクユーザデータを送信する。【０１１１】
ＵＡＰ（ａ２、ｃ２）、ＤＡＰ（ｂ２、ｄ２）についても同様に、移動局装置１００と基地局装置２００とで送受信処理する。ＵＡＰ、ＤＡＰ以外の期間は、移動局装置１００の送信処理または受信処理を停止する。
これにより、直近ＣＱＩ情報を用いた無線チャネル依存スケジューリングを行いながら消費電力を抑えた間欠受信が可能となる。【０１１２】
また、データがない場合は、移動局装置１００では、上りリンクパイロットと下りリンクＣＱＩを送信するだけとなり、基地局装置２００では、上りリンクパイロットから上りリンクＣＱＩを算出するだけとなる。
移動局装置１００側で送信するデータがある状態になった場合、ＵＡＰ期間で上りリンクスケジューリング要求を行い、Ｎｏ１−Ｎｏ４のパラメータ（後述の図１３参照）に移行するか、基地局装置２００側で移動局装置１００に送信するデータがある状態になった場合に、Ｎｏ１−Ｎｏ４のパラメータ（後述の図１３参照）に移行する。【０１１３】
［動作例６］
図９は、下りリンクおよび上りリンクのデータ量が少ない動作例６を示している。
制御用パラメータをＤＣＦＣ１＝８０ＴＴＩ間隔、ＵＳＣ１＝８０ＴＴＩ間隔、ＤＳＣ１＝８０ＴＴＩ間隔、ＵＡＰ１＝５ＴＴＩ間隔、ＤＡＰ１＝５ＴＴＩ間隔とし、データ用パラメータをＤＣＦＣ２＝８０ＴＴＩ間隔、ＵＳＣ２＝８０ＴＴＩ間隔、ＤＳＣ２＝８０ＴＴＩ間隔、ＵＡＰ２＝５ＴＴＩ間隔、ＤＡＰ２＝５ＴＴＩ間隔とした場合である。
図９の場合では、図８とは異なり、下りリンクＤＡＰ、上りリンクＵＡＰの順に１セットとしている。
この場合の動作は、基本的には動作例５と同じである。【０１１４】
［動作例７］
図１０は、下りリンクおよび上りリンクのデータ量が少ない動作例７を示している。
制御用パラメータをＤＣＦＣ１＝８０ＴＴＩ間隔、ＵＳＣ１＝８０ＴＴＩ間隔、ＤＳＣ１＝８０ＴＴＩ間隔、ＵＡＰ１＝１ＴＴＩ間隔、ＤＡＰ１＝１ＴＴＩ間隔とし、データ用パラメータをＤＣＦＣ２＝８０ＴＴＩ間隔、ＵＳＣ２＝８０ＴＴＩ間隔、ＤＳＣ２＝８０ＴＴＩ間隔、ＵＡＰ２＝５ＴＴＩ間隔、ＤＡＰ２＝５ＴＴＩ間隔とした場合である。
図１０の場合、図９とは、制御用パラメータのＵＡＰとＤＡＰを１ＴＴＩ間隔としている点が異なり、制御用パラメータのＵＡＰとＤＡＰを最小単位とすることで消費電力を抑えつつも無線伝搬路に応じたスケジューリングを行うことができる。
この場合の動作は、基本的には動作例５と同じである。
これらの制御用パラメータとデータ用パラメータの間隔を制御情報の反映可能な最小値である５ＴＴＩに設定すると最も効率が良い。【０１１５】
［動作例８］
図１１は、ＤＣＦＣ＝１０ＴＴＩ間隔、ＵＳＣ＝１０ＴＴＩ間隔、ＤＳＣ＝１０ＴＴＩ間隔、ＵＡＰ＝５ＴＴＩ間隔、ＤＡＰ＝５ＴＴＩ間隔のパラメータの移動局装置１００が２つある場合の例である。この場合、移動局装置１００１（ＵＥ１）と移動局装置１００２（ＵＥ２）は、下りリンクおよび上りリンクで交互にＡｃｔｉｖｅ  Ｐｅｒｉｏｄになる。
この場合の動作は、基本的には動作例１と同じである。
このように移動局を割り当てることにより、無線リソースを効率よく利用することができる。【０１１６】
［動作例９］
図１２は、ＤＣＦＣ＝１０ＴＴＩ間隔、ＵＳＣ＝１０ＴＴＩ間隔、ＤＳＣ＝１０ＴＴＩ間隔、ＵＡＰ＝５ＴＴＩ間隔、ＤＡＰ＝５ＴＴＩ間隔のパラメータの移動局装置１００が複数（１０個の移動局装置：ＵＥ１〜ＵＥ１０）ある場合の例である。
ＵＥ１とＵＥ６は、交互にＡｃｔｉｖｅ  Ｐｅｒｉｏｄになるように配置し、ＵＥ１〜ＵＥ５、ＵＥ６〜ＵＥ１０は、１ＴＴＩ間隔でずれるように配置する。このようにすることで、下りリンクＣＱＩをＵＡＰの先頭で必ず送信できるようになる。この場合、各移動局装置１００から送信される上りリンクパイロットは、Ｄｉｓｔｒｉｂｕｔｅｄ  ＦＤＭＡやＣＤＭＡを使用することで多重できる。【０１１７】
［無線品質を改善するためのパラメータ］
ＤＣＦＣ、ＵＳＣ、ＤＳＣ、ＵＡＰ、ＤＡＰのパラメータは、図１３（Ａ）、図１３（Ｂ）のように上りリンク、下りリンクに分けて指定する。
リアルタイムサービスで且つデータ量が多い場合（例えば、映像配信サービス、ＴＶ電話など）、ＵＳＣ＝ＤＳＣ＝ＵＡＰ＝ＤＡＰ＝ＤＣＦＣ＝５ＴＴＩとする。
リアルタイムサービスで且つデータ量が少ない場合（例えば、ＶｏＩＰなど）、ＵＳＣ＝ＤＳＣ＝ＤＣＦＣ＝１０ＴＴＩ、ＵＡＰ＝ＤＡＰ＝５ＴＴＩとする。
ノン−リアルタイムサービスで且つデータ量が多い場合（例えば、ＦＴＰなど）、ＵＳＣ＝ＤＳＣ＝ＤＣＦＣ＝２０ＴＴＩ、ＵＡＰ＝ＤＡＰ＝５ＴＴＩとする。
ノン−リアルタイムサービスで且つデータ量が少ない場合（例えば、ｃｈａｔなど）、ＵＳＣ＝ＤＳＣ＝ＤＣＦＣ＝４０ＴＴＩ、ＵＡＰ＝ＤＡＰ＝５ＴＴＩとする。【０１１８】
上記のように設定することで、リアルタイムサービスにおいて必ず一定周期内で一定量のデータが送信でき、データ量が少ない移動局装置１００に対しては、スケジューリング領域を確保しつつも、消費電力を低減することができる。【０１１９】
また、以下のような場合についてもパラメータを用意する。
無線品質が悪い場合に、無線品質が良い移動局装置１００と同じようにデータを送信してもエラーが発生してリソースが無駄になる。
このため、無線伝搬路品質が悪い場合（Ｌｏｗ  ＣＱＩ）は、ＵＳＣ＝ＤＳＣ＝ＤＣＦＣ＝４０ＴＴＩ、ＵＡＰ＝ＤＡＰ＝５ＴＴＩとする。
この図１３の表では、サービスタイプと無線環境を並列にしたが、例えば、サービスごとに無線品質に応じたパラメータ設定をするように構成してもよい。【０１２０】
また、インターネット接続してＷｅｂ  Ｂｒｏｗｉｎｇをしているような場合において、データがなくても通信リンクを接続した状態を確保しておく必要がある。このような場合、つまり、送信データはないが、通信リンクを確保しておきたい場合（Ｎｏ  Ｐａｃｋｅｔ）、ＵＳＣ＝ＤＳＣ＝ＤＣＦＣ＝８０ＴＴＩ、ＵＡＰ＝ＤＡＰ＝５ＴＴＩとする。【０１２１】
基地局装置２００は、移動局装置１００との初期接続手順の中で上記パラメータを移動局装置１００に通知する。また、移動局装置１００は、上記パラメータを基地局装置２００が決定するための情報を基地局装置２００に通知する。または、移動局装置１００が、上記パラメータを決定して基地局装置２００に通知する。【０１２２】
また、リアルタイムサービス（例えば、映像配信やＴＶ電話などの動画サービスやＶｏＩＰなど）の場合、ある一定期間内に必ずある一定量のデータを送信しなければならず、データ送信の優先度は上げなければならない。
逆にＦＴＰやｃｈａｔ等のようなバースト的に発生するノンリアルサービスでは、データ送信の優先度は低くてもかまわない。【０１２３】
このことから、リアルタイムサービスで且つ送信データ量が多い場合の優先度を一番高く設定し、次に、リアルタイムサービスで且つ送信データ量が少ない場合の優先度を２番目に設定し、ノンリアルタイムサービス且つデータ量の大きい場合の優先度を３番目に設定し、ノンリアルタイムで且つデータ量の少ない場合の優先度を４番目に設定する。尚、上記サービス内容においてもＬｏｗ  ＣＱＩ、つまり、無線伝搬路環境が悪い場合は、優先度を下げて送信する。また、データがなく、制御情報のやり取りだけのユーザは優先度を一番低くする。【０１２４】
これらのパラメータ設定は、少なくとも、無線ベアラセットアップ時のＲＲＣ（Radio Resource Control）メッセージに含まれ、各サービスをセットアップする際に設定される。これらのパラメータの通信中の変更は、同様にＲＲＣメッセージを使用するか、さらに頻繁に設定変更するため、物理層の制御信号や、ＭＡＣ制御信号使用することにより、ＴＴＩ単位での制御も可能である。【０１２５】
制御信号の情報量を削減するため、図１３のようなテーブル値を基地局装置２００と移動局装置１００で保持し、そのカテゴリ番号のみをやり取りする。または、ＤＳＣやＵＳＣをＴＴＩ単位でステップアップ、ステップダウンするような１ビットの信号でやり取りしてもよい。尚、これらのパラメータは、状況により複数もつこともできる。【０１２６】
［動作例１０］
定期的なボリュームが予想されるトラフィックと動的なボリュームのトラフィックを共存させる際には、ＵＡＰ、ＤＡＰの先頭の１ＴＴＩは必ず定期的なボリュームが予想されるトラフィックの送信を行い、残りのＴＴＩで動的なボリュームのトラフィックを流動的にスケジューリングするという方法が有効である。【０１２７】
図１４は、図１３で示したパラメータを各移動局装置（ＵＥ）１００に割り当てた場合の例である。
この場合のスケジューリングは、例えばＵ１期間でスケジューリングしたとすると、ＵＥ１、２、６、８の移動局装置１００がスケジューリング対象となるが、最初にＵＥ１の移動局装置１００を最優先にスケジューリングし、２番目にＵＥ２の移動局装置をスケジューリングして、割り当て領域が残っていれば、ＵＥ６、次に、ＵＥ８のスケジューリングを行う。
また、上記で示した図１２のように各移動局装置を１ＴＴＩ毎にずらして割り当ててもよい。【０１２８】
［動作例１１］
上記動作例１０では、パラメータ１やパラメータ２の移動局装置１００の数が少なくなってしまうので、同じパラメータの移動局装置１００をグループ化にしてスケジューリングする例を図１５に示す。
パラメータ１の移動局装置１００は、Ｕ−Ｇｒｏｕｐ１の１つのグループでグルーピングし、パラメータ２の移動局装置は、Ｕ−Ｇｒｏｕｐ２、３の２つのグループでグルーピングし、パラメータ３の移動局装置は、Ｕ−Ｇｒｏｕｐ４、５、６、７の４つのグループでグルーピングする。また、パラメータ４の移動局装置は、Ｕ−Ｇｒｏｕｐ８〜Ｕ−Ｇｒｏｕｐ１５の８つのグループでグルーピングする。【０１２９】
この場合のスケジューリングは、例えばＵ１期間でスケジューリングしたとすると、Ｕ−Ｇｒｏｕｐ１、２、４、８の移動局装置１００がスケジューリング対象となるが、最初にＵ−Ｇｒｏｕｐ１の移動局装置１００を最優先にスケジューリングし、２番目にＧｒｏｕｐ２の移動局装置１００をスケジューリングして、割り当て領域が残っていれば、Ｇｒｏｕｐ４、次に、Ｇｒｏｕｐ８のスケジューリングを行う。【０１３０】
このようにして、グループ化することにより、より多くの移動局装置１００を収容することができる。
また、図１６のようにサービスによりＡｃｔｉｖｅ  Ｐｅｒｉｏｄを変更することもできる。【０１３１】
［動作例１２］
無線伝搬路品質が悪い場合、通信エラーの発生が多くなり、リソースを割り当ててもリソースが無駄になる。
また、無線チャネルに依存したスケジューリングを行う場合、無線伝搬路品質が悪くなると、無線リソースを割り当てられる可能性が低くなったり、下りリンクのパイロット受信処理、上りリンクパイロット送信処理が無駄になる（消費電力が無駄に費やされる）ので、送受信停止区間を長くしたほうが、消費電力は少なくてすむ。【０１３２】
また、無線伝搬路品質が悪くなった場合、無線伝搬路品質がよいセルへ切り替えるハンドオーバー処理が行われる。ハンドオーバーは無線伝搬路品質のよいセルへ切り替えるため、周辺セルの無線伝搬路品質の測定を行う必要がある。
この周辺セルの無線伝搬路品質を測定するためには、あるセルの下りリンクに同期してから無線伝搬路品質を測定するため、ある程度の時間が必要になる。通常、他セルの無線伝搬路品質測定は、基地局装置２００から指示されて測定を行う。
このようなことから、無線伝搬路品質が悪くなったときに、送受信停止区間を長くして、送受信停止区間に他セルの測定を行う場合を以下に示す。【０１３３】
ここでは、ＤＣＦＣ＝４０ＴＴＩ間隔、ＵＳＣ＝４０ＴＴＩ間隔、ＤＳＣ＝４０ＴＴＩ間隔、ＵＡＰ＝５ＴＴＩ間隔、ＤＡＰ＝５間隔として説明する（図１７）。
通常、下りリンクの受信は、ＴＴＩ区間の６〜１０で繰り返し行われ、ＴＴＩ区間の１１〜４０、１〜５では、受信は停止される。この受信停止区間を周辺セルの品質測定に利用する。
周辺セルの品質測定において、同一周波数の周辺セルの品質を測定する場合、ＴＴＩ区間の１１〜４０、１〜５を使用して測定を行う。異周波数の周辺セルの品質を測定する場合は、ＴＴＩ区間の１〜５において上りリンクでの送信があり、異周波数への周波数切り替えができず、測定ができないため、ＴＴＩ区間の１１〜４０において、異周波数の品質測定を行う。
上記を式で表すと以下のようになる。【０１３４】
他セル測定期間（異周波数：Ｉｎｔｅｒ−ｆｒｅｑｕｅｎｃｙ）
＝ＤＳＣ−ＤＡＰ−ＵＡＰ
他セル測定期間（同一周波数：Ｉｎｔｒａ−ｆｒｅｑｕｅｎｃｙ）
＝ＤＳＣ−ＤＡＰ【０１３５】
尚、同一周波数の他セル測定期間は、異周波数の他セル測定期間と同じでもよい。
上記示した期間で他セルの測定を行う。基地局装置２００は、移動局装置１００が他セルの品質測定が必要になった場合、移動局装置１００が他セルを測定できるパラメータに変更することもできる。移動局装置は、与えられたパラメータの範囲で他セルの品質測定を行う。【０１３６】
このようにすることで、基地局装置は、移動局装置が他セルを測定する期間を新たに設定することなく、通常のスケジューリング内で測定することができる。【０１３７】
以上に説明したように、サービス内容に応じて、上りリンクと下りリンクそれぞれに送受信停止区間を設けることで、移動局装置の消費電力を抑えることができ、サービス内容に応じて、送受信を制御しているので基地局装置のスケジューリングも簡単になる。
【図１】
2008050574.tif 000003
【図２】
2008050574.tif 000004
【図３】
2008050574.tif 000005
【図４】
2008050574.tif 000006
【図５】
2008050574.tif 000007
【図６】
2008050574.tif 000008
【図７】
2008050574.tif 000009
【図８】
2008050574.tif 000010
【図９】
2008050574.tif 000011
【図１０】
2008050574.tif 000012
【図１１】
2008050574.tif 000013
【図１２】
2008050574.tif 000014
【図１３】
2008050574.tif 000015
【図１４】
2008050574.tif 000016
【図１５】
2008050574.tif 000017
【図１６】
2008050574.tif 000018
【図１７】
2008050574.tif 000019
【図１８】
2008050574.tif 000020
【図１９】
2008050574.tif 000021
【図２０】
2008050574.tif 000022
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
移動局装置に対する無線リソースの割り当てを制御する下りリンク共用制御シグナリングチャネルを受信可能な期間および前記受信可能な期間の周期を基地局装置からＲＲＣシグナリングで設定され、前記下りリンク共用制御シグナリングチャネルを受信可能な期間にて前記下りリンク共用制御シグナリングチャネルの受信処理を行うことを特徴とする移動局装置。
【請求項２】
前記下りリンク共用制御シグナリングチャネルは、同一スロットにおける上りリンクまたは下りリンクのリソース割り当てを行うチャネルであることを特徴とする請求項１記載の移動局装置。
【請求項３】
前記下りリンク共用制御シグナリングチャネルを受信可能な期間と関連付けられたタイミングで下りチャネル伝搬路品質情報を送信することを特徴とする請求項１記載の移動局装置。
【請求項４】
前記受信可能な期間と関連付けられたタイミングは、前記下りリンク共用制御シグナリングチャネルを受信可能な期間であることを特徴とする請求項１記載の移動局装置。
【請求項５】
移動局装置に対する無線リソースの割り当てを制御する下りリンク共用制御シグナリングチャネルを受信不可能な期間中に周辺セルの受信品質を測定することを特徴とする請求項１記載の移動局装置。
【請求項６】
前記下りリンク共用制御シグナリングチャネルを受信可能な期間および前記受信可能な期間の周期は、単位期間の倍数であることを特徴とする請求項１記載の移動局装置。
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
基地局装置と移動局装置を備えた無線通信システムにおいて、
前記基地局装置は、無線リソースのスケジューリング情報を含む下りリンクの制御チャネルの前記移動局装置の受信可能間隔の間隔を設定し、前記間隔をＲＲＣメッセージに含めて移動局装置に送信し、
前記移動局装置は、前記ＲＲＣメッセージを受信する無線部と、前記ＲＲＣメッセージに基づいて無線リソースのスケジューリング情報を含む下りリンクの制御チャネルの受信処理を行う間隔を設定するＤＲＸ制御部を有することを特徴とする無線通信システム。
【請求項２】
前記下りリンクの制御チャネルの受信可能間隔は、上りリンク共用制御シグナリングチャネルを送信可能な期間であることを特徴とする請求項１記載の無線通信システム。
【請求項３】
前記下りリンクの制御チャネルは、前記制御チャネルが配置されたタイムスロットと同一タイムスロットにおける下りリンクのデータチャネルの無線リソースのスケジューリング情報を含む制御チャネルであることを特徴とする請求項１記載の無線通信システム。
【請求項４】
前記下りリンクの制御チャネルの受信可能間隔と関連付けられたタイミングで下りリンクの伝搬路品質情報を送信することを特徴とする請求項３記載の無線通信システム。
【請求項５】
前記下りリンクの制御チャネルの受信可能間隔と関連付けられたタイミングで上りリンクのデータチャネルの無線リソースのスケジューリング情報を含む制御チャネルの受信処理を行なうことを特徴とする請求項３記載の無線通信システム。
【請求項６】
前記基地局装置は、前記移動局装置の無線品質に応じて前記間隔を設定することを特徴とする請求項１記載の無線通信システム。
【請求項７】
前記基地局装置は、前記移動局装置の通信リンクを確保しておく場合と、確保しておかない場合で前記間隔を異なる値に設定することを特徴とする請求項１記載の無線通信システム。
【請求項８】
前記移動局装置は、前記下りリンクの制御チャネルの受信可能間隔とは異なる期間中に周辺セルの受信品質を測定することを特徴とする請求項１記載の無線通信システム。
【請求項９】
前記基地局装置は、前記移動局装置のサービスの種類に応じて前記間隔を設定することを特徴とする請求項１記載の無線通信システム。
【請求項１０】
前記基地局装置と前記移動局装置は前記サービスの種類に応じた前記間隔を記憶したテーブルを有し、前記ＲＲＣメッセージは前記テーブルのカテゴリ番号を含むことを特徴とする請求項９記載の無線通信システム。
【請求項１１】
無線リソースのスケジューリング情報を含む下りリンクの制御チャネルの前記移動局装置の受信可能間隔の間隔が異なる場合には、それらの間隔は、それぞれの倍数であることを特徴とする請求項１記載の無線通信システム。
【請求項１２】
前記基地局装置は、前記間隔のタイムスロット単位でのステップアップ、ステップダウンを示すビットを前記移動局装置に通知し、前記移動局装置は前記ビットに応じて前記間隔を調整することを特徴とする請求項１記載の無線通信システム。
【請求項１３】
移動局装置と通信する基地局装置であって、
前記基地局装置は、無線リソースのスケジューリング情報を含む下りリンクの制御チャネルの前記移動局装置の受信可能間隔の間隔を設定し、前期間隔をＲＲＣメッセージに含めて移動局装置に送信する基地局装置。
【請求項１４】
基地局装置と通信する移動局装置であって、
前記移動局装置は、前記基地局装置からの無線リソースのスケジューリング情報を含む下りリンクの制御チャネルの前記移動局装置の受信可能間隔の間隔を含むＲＲＣメッセージを受信する無線部と、前記ＲＲＣメッセージに基づいて無線リソースのスケジューリング情報を含む下りリンクの制御チャネルの受信処理を行う間隔を設定するＤＲＸ制御部を有することを特徴とする移動局装置。
【請求項１５】
基地局装置と通信する移動局装置であって、前記移動局装置が上りリンクのデータチャネルの送信後から、前記基地局装置で前記上りリンクのデータチャネルに対する応答を送信して前記移動局装置で前記応答を受信するまでの時間に基づいて、前記移動局装置が無線リソースのスケジューリング情報を含む下りリンクの制御チャネルの受信処理を行う間隔を設定するＤＲＸ制御部を有することを特徴とする移動局装置。
【手続補正３】
【補正対象書類名】明細書
【補正対象項目名】０００１
【補正方法】変更
【補正の内容】
【０００１】
技術分野
［０００１］
本発明は、無線通信システム、基地局装置および移動局装置に関し、特に、移動体通信システムにおけるＥＵＴＲＡ技術として、適応無線リンク制御に基づく適応変復調・誤り訂正方式を有するパケットデータ通信方式に関する。
背景技術
［０００２］
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ方式が第三世代セルラー移動通信方式として標準化され、順次サービスが開始されている。また、通信速度を更に上げたＨＳＤＰＡ（Ｈｉｇｈ  Ｓｐｅｅｄ  Ｄｏｗｎｌｉｎｋ  Ｐａｃｋｅｔ  Ａｃｃｅｓｓ）も標準化され、サービスが開始されようとしている。
［０００３］
一方、３ＧＰＰでは、第三世代無線アクセスの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ，以下、ＥＵＴＲＡと称する）が検討されている。
ＥＵＴＲＡの下りリンクとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が提案されている。
ＥＵＴＲＡ技術として、ＯＦＤＭ方式にチャネル符号化等の適応無線リンク制御（リンクアダプテーション，Ｌｉｎｋ  Ａｄａｐｔａｔｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ、以下、ＡＭＣＳ方式と称する）といった技術が適用されている。
［０００４］
ＡＭＣＳ方式とは、高速パケットデータ伝送を効率的に行うために、各移動局の伝搬路状況に応じて、誤り訂正方式、誤り訂正の符号化率、データ変調多値数、時間・周波数軸の符号拡散率（ＳＦ：Ｓｐｒｅａｄｉｎｇ  Ｆａｃｔｏｒ）、マルチコード多重数など無線伝送パラメータ（以下、ＡＭＣモードと称する）を切り替える方式である。
［０００５］
例えば、データ変調については、伝搬路状況が良好になるに従って、ＱＰＳＫ（Ｑｕａｄｒａｔｕｒｅ  Ｐｈａｓｅ  Ｓｈｉｆｔ  Ｋｅｙｉｎｇ）変調から、８ＰＳＫ変調、１６ＱＡＭ（Ｑｕａｄｒａｔｕｒｅ  Ａｍｐｌｉｔｕｄｅ  Ｍｏｄｕｌａｔｉｏｎ）変調など、より高い効率の多値変調に切り替えることで、通信システムの最大スループットを増大させることができる。
【手続補正４】
【補正対象書類名】明細書
【補正対象項目名】０００７
【補正方法】変更
【補正の内容】
【０００７】
ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＵＴＲＡ）ａｎｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）
非特許文献４：Ｒ２−０６１０６１“ＤＲＸ  ａｎｄ  ＤＴＸ  Ｏｐｅｒａｔｉｏｎ  ｉｎ  ＬＴＥ＿Ａｃｔｉｖｅ”，３ＧＰＰ  ＴＳＧ  ＲＡＮ  ＷＧ２  Ｍｅｔｔｉｎｇ＃５２  Ａｔｈｅｎａ，Ｇｒｅｅｃｅ，Ｍａｒｃｈ  ２７−３１，２００６
発明の開示
発明が解決しようとする課題
［００３０］
しかしながら、非特許文献４では、制御情報やユーザデータを送受信する期間と制御情報やユーザデータを送受信しない期間を制御することにより電力消費を抑える提案がされているが具体的な提案はされていない。
［００３１］
本発明は、上述の実情を考慮してなされたものであり、ＥＵＴＲＡ技術として、適応無線リンク制御に基づく適応変復調・誤り訂正方式を有するパケットデータ通信方式において、通信サービスを考慮しつつ、移動局装置の電力消費を抑えた無線通信システム、基地局装置および移動局装置を提供することを目的とする。
課題を解決するための手段
［００３２］
上記課題を解決するために、本発明の基地局装置と移動局装置を次のような構成とする。
基地局装置は、無線リソースのスケジューリング情報を含む下りリンクの制御チャネルの前記移動局装置の受信可能間隔の間隔を設定し、前記間隔をＲＲＣメッセージに
【手続補正５】
【補正対象書類名】明細書
【補正対象項目名】０００８
【補正方法】変更
【補正の内容】
【０００８】
含めて移動局に送信する。
［００３３］
移動局装置は、前記ＲＲＣメッセージを受信する無線部と、前記ＲＲＣメッセージに基づいて無線のリソースのスケジューリング情報を含む下りリンクの制御チャネルの受信処理を行う間隔を設定するＤＲＸ制御部を有している。
あるいは、移動局装置は、上りリンクのデータチャネルの送信後から、前記基地局装置で前記上りリンクのデータチャネルに対する応答を送信して、前記応答を受信するまでの時間に基づいて、無線のリソースのスケジューリング情報を含む下りリンクの制御チャネルの受信処理を行う間隔を設定するＤＲＸ制御部を有している。
また、移動局装置は、前記下りリンクの制御チャネルの受信可能間隔とは異なる期間中に周辺セルの受信品質を測定する。
［００３４］
前記下りリンクの制御チャネルの受信可能間隔は、上りリンク共用制御シグナリングチャネルを送信可能な期間である。
前記下りリンクの制御チャネルは、前記制御チャネルが配置されたタイムスロットと同一タイムスロットにおける下りリンクのデータチャネルの無線リソースのスケジューリング情報を含む制御チャネルである。
［００３５］
さらに、前記下りリンクの制御チャネルの受信可能間隔と関連付けられたタイミングで、下りチャネル伝搬路品質情報を送信したり、また、上りリンクのデータチャネルの無線リソースのスケジューリング情報を含む制御チャネルの受信処理を行う。
また、前記基地局装置と前記移動局装置が、サービスの種類に応じた前記間隔を記憶したテーブルを有する場合には、前記ＲＲＣメッセージに前記テーブルのカテゴリ番号を含むようにしてもよい。
【手続補正６】
【補正対象書類名】明細書
【補正対象項目名】０００９
【補正方法】変更
【補正の内容】
【０００９】
また、前記受信可能間隔の間隔が異なる場合には、それぞれ倍数とする。
［００３６］
前記間隔は、次のいずれかで設定する。
（１）前記移動局装置の無線品質に応じて設定する。
（２）前記移動局装置のサービスの種類に応じて設定する。
（３）前記移動局装置の通信リンクを確保しておく場合と確保しておかない場合で異なる値に設定する。
［００３７］
また、前記間隔は、前記基地局装置が前記間隔のタイムスロット単位でのステップアップ、ステップダウンを示すビットを前記移動局装置に通知し、前記移動局装置が前記ビットに応じて調整するものとしてもよい。
発明の効果
［００３８］
本発明によれば、上りリンクと下りリンクにそれぞれで、サービスに応じて送受信可能区間と送受信停止区間を設定することで移動局装置では消費電力を低減することができ、基地局装置では、サービスを考慮した効率的なスケジューリングを行える無線通信システムを提供することができる。
図面の簡単な説明
［００３９］
［図１］本発明の移動局装置の構成を示すブロック図である。
［図２］本発明の基地局装置の構成を示すブロック図である。
【手続補正７】
【補正対象書類名】明細書
【補正対象項目名】００１１
【補正方法】変更
【補正の内容】
【００１１】
Ｌスケジューリング部、２５０…チャネル推定部、２６０…ＤＦＴ−Ｓ−ＯＦＤＭ復調部、２７０…データ復調部、２８０…制御データ抽出部、２９０…無線部。
発明を実施するための最良の形態
［００４１］
以下、図面を参照して本発明の基地局装置と移動局装置、およびそれらの無線通信システムの好適な実施形態について説明する。
［００４２］
以下、この明細書で用いる用語について定義しておく。
ＤＣＦＣ（Ｄｏｗｎｌｉｎｋ  ＣＱＩ  Ｆｅｅｄｂａｃｋ  Ｃｙｃｌｅ）は、移動局装置がＤＰｉＣＨを測定し、下りリンクＣＱＩを算出して、下りリンクＣＱＩを基地局装置に送信する間隔を示す。
ＵＡＰ（Ｕｐｌｉｎｋ  Ａｃｔｉｖｅ  Ｐｅｒｉｏｄ）は、移動局装置が上りリンクで制御情報やユーザデータを送信可能な間隔（または、基地局装置が移動局装置に対して上りリンクのスケジューリングを行うことのできる間隔）を示す。ＵＡＰの始めに下りリンクＣＱＩを送信する。
ＤＡＰ（Ｄｏｗｎｌｉｎｋ  Ａｃｔｉｖｅ  Ｐｅｒｉｏｄ）は、下りリンクで移動局装置が基地局装置からの制御情報やユーザデータを受信可能な間隔（または、基地局装置が下りリンクで移動局装置宛の制御情報やユーザデータをスケジューリングし、移動局装置に送信可能な間隔）を示す。
ＵＳＣ（Ｕｐｌｉｎｋ  Ｓｃｈｅｄｕｌｉｎｇ  Ｃｙｃｌｅ）は、ＵＡＰの開始から次のＵＡＰの開始までの間隔を示す。
ＤＳＣ（Ｄｏｗｎｌｉｎｋ  Ｓｃｈｅｄｕｌｉｎｇ  Ｃｙｃｌｅ）は、ＤＡＰの開始から次のＤＡＰの開始までの間隔を示す。
［００４３］
図１は、移動局装置１００の構成を示すブロック図であり、図２は基地局装置２００の構成を示すブロック図である。
図１において、移動局装置１００は、送信部１１０と、ＤＴＸ・ＤＲＸ制御部１２０と、無線制御部１３０と、スケジューリング部１４０と、受信部１５０と、無線部１６０とから構成される。
また、送信部１１０は、データ制御部１１１、データ変調部１１２、ＤＦＴ−Ｓ−ＯＦＤＭ変調部１１３からなり、受信部１５０は、チャネル推定部１５１と、ＯＦＤＭ（ＤＦＴ−ｓｐｒｅａｄ  ＯＦＤＭ）復調部１５２と、データ復調部１５３と、制御データ抽出部１５４とから構成される。
【国際調査報告】
2008050574.tif 000023
2008050574.tif 000024
2008050574.tif 000025